【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
ホスト装置からプリンタに印刷データを送って前記プリンタで印刷するプリントシステムにおいて、
前記プリンタは、種々のサイズの印刷用紙をセットできる給紙装置を複数備えていて、前記ホスト装置に、前記各給紙装置又はユーザが予め指定した給紙装置に関連する情報を通知する手段を有し、
前記ホスト装置は、前記プリンタから通知された、前記各給紙装置又はユーザが予め指定した給紙装置に関連する情報を基に、前記各給紙装置から使用対象となる給紙装置を自動選択する手段を有する
プリントシステム。
【請求項２】
前記各給紙装置又はユーザが予め指定した給紙装置に関連する情報は、前記各給紙装置又はユーザが予め指定した給紙装置の装着状況、用紙の有無、又は用紙サイズである請求項１記載のプリントシステム。
【請求項３】
前記ホスト装置の自動選択する手段は、
前記各給紙装置のいずれかひとつの給紙装置に用紙があるか否かをチェックする用紙有／無チェック手段と、
前記用紙有／無チェック手段が、少なくともひとつの給紙装置に用紙がセットされていると検出したときは、その検出した給紙装置のうち印刷する用紙サイズと一致した用紙がセットされている給紙装置が少なくとも一つはあるか否かをチェックする用紙サイズチェック手段と
を有しており、前記用紙サイズチェック手段が、印刷する用紙サイズと一致した用紙がセットされている給紙装置が少なくとも一つはあることを検出したときは、その検出した給紙装置のうち一つを選択する請求項１記載のプリントシステム。
【請求項４】
前記ホスト装置の自動選択する手段は、前記用紙サイズチェック手段が、印刷する用紙サイズと一致した用紙がセットされている給紙装置を複数検出したときは、それら検出した給紙装置から、ユーザが予め設定した又は固定的に定められた優先選択順位に従って一つを選択する請求項３記載のプリントシステム。
【請求項５】
前記ホスト装置の自動選択する手段は、前記用紙サイズチェック手段が、印刷する用紙サイズと一致した用紙がセットされている給紙装置を一つも検出しなかったときは、ユーザに給紙装置を選択させることができる請求項３記載のプリントシステム。
【請求項６】
前記プリンタは、前記ホスト装置が選択又はユーザが予め指定した給紙装置が、今回の印刷に使用できないときは、前記各給紙装置から今回の印刷に使用できる給紙装置を選択する選択手段を備える請求項１記載のプリントシステム。
【請求項７】
前記プリンタの選択手段は、前記ホスト装置が選択又はユーザが予め指定した給紙装置に用紙が無いときに、その給紙装置を今回の印刷に使用できないと判断する手段を有する請求項６記載のプリントシステム。
【請求項８】
ホスト装置から印刷データを受信して印刷するプリンタにおいて、
種々のサイズの印刷用紙をセットできる給紙装置を複数備え、前記ホスト装置に、前記各給紙装置又はユーザが予め指定した給紙装置に関連する情報を通知する手段を有しており、それにより、前記ホスト装置が、前記通知した各給紙装置又はユーザが予め指定した給紙装置に関連する情報を基に、前記各給紙装置から使用対象となる給紙装置を自動選択することができるプリンタ。
【請求項９】
前記各給紙装置又はユーザが予め指定した給紙装置に関連する情報は、前記各給紙装置又はユーザが予め指定した給紙装置の装着状況、用紙の有無、又は用紙サイズである請求項８記載のプリンタ。
【請求項１０】
前記ホスト装置が選択又はユーザが予め指定した給紙装置が、今回の印刷に使用できないときは、前記各給紙装置から今回の印刷に使用できる給紙装置を選択する選択手段を備える請求項８記載のプリンタ。
【請求項１１】
前記選択手段は、前記ホスト装置が選択又はユーザが予め指定した給紙装置に用紙が無いときに、その給紙装置を今回の印刷に使用できないと判断する手段を有する請求項１０記載のプリンタ。
【請求項１２】
前記選択手段は、前記各給紙装置のうち、今回の印刷に使用できる給紙装置が複数あるときは、ユーザが予め設定した又は固定的に定められた優先選択順位に従って給紙装置を選択する請求項１０記載のプリンタ。
【請求項１３】
複数の給紙装置を備えたプリンタで印刷するための印刷制御方法において、
前記プリンタから前記各給紙装置又はユーザが予め指定した給紙装置に関連する情報を受信するステップと、
前記受信した各給紙装置又はユーザが予め指定した給紙装置に関連する情報を基に、前記各給紙装置から使用対象となる給紙装置を自動選択するステップと
を備える印刷制御方法。
【請求項１４】
前記各給紙装置又はユーザが予め指定した給紙装置に関連する情報は、前記各給紙装置又はユーザが予め指定した給紙装置の装着状況、用紙の有無、又は用紙サイズである請求項１３記載の印刷制御方法。
【請求項１５】
前記自動選択するステップは、
前記各給紙装置のいずれかひとつの給紙装置に用紙があるか否かをチェックする用紙有／無チェックステップと、
前記用紙有／無チェックステップにおいて、少なくともひとつの給紙装置に用紙がセットされていると検出したときは、その検出した給紙装置のうち印刷する用紙サイズと一致した用紙がセットされている給紙装置が少なくとも一つはあるか否かをチェックする用紙サイズチェックステップと
を有しており、前記用紙サイズチェックステップにおいて、印刷する用紙サイズと一致した用紙がセットされている給紙装置が少なくとも一つはあることを検出したときは、その検出した給紙装置のうち一つを選択する請求項１３記載の印刷制御方法。
【請求項１６】
前記自動選択するステップは、前記用紙サイズチェックステップにおいて、印刷する用紙サイズと一致した用紙がセットされている給紙装置を複数検出したときは、それら検出した給紙装置から、ユーザが予め設定した又は固定的に定められた優先選択順位に従って一つを選択する請求項１５記載の印刷制御方法。
【請求項１７】
前記自動選択するステップは、前記用紙サイズチェックステップにおいて、印刷する用紙サイズと一致した用紙がセットされている給紙装置を一つも検出しなかったときは、ユーザに給紙装置を選択させることができる請求項１５記載の印刷制御方法。
【請求項１８】
生成した印刷データをプリンタに送りそのプリンタで印刷するプリントシステムに備えられるホスト装置であって、
前記プリンタが、種々のサイズの印刷用紙をセットできる給紙装置を複数備え、前記ホスト装置に、前記各給紙装置又はユーザが予め指定した給紙装置に関連する情報を通知する手段を有しており、
前記プリンタから前記各給紙装置又はユーザが予め指定した給紙装置に関連する情報を受信するステップと、
前記受信した各給紙装置又はユーザが予め指定した給紙装置に関連する情報を基に、前記各給紙装置から使用対象となる給紙装置を自動選択するステップと、を備えたホスト装置として、
コンピュータを機能させるためのコンピュータプログラムを担持したコンピュータ読取可能な記録媒体。
【手続補正２】
【補正対象書類名】明細書
【補正対象項目名】００４３
【補正方法】変更
【補正の内容】
【００４３】
以上が、この実施形態におけるホスト装置１の動作である。なお、ホスト装置１は、用紙無し又は印字エラー後（図３のステップＳ７又はＳ８）、給紙装置の自動選択（図３のステップＳ４）で新しく別の給紙装置を指定した場合であっても、プリンタ３が、既にホスト装置１から受信したイメージデータをその別の給紙装置に対応させられれば、ホスト装置１は、プリンタ３にイメージデータを再送しなくても良い。